(57)【特許請求の範囲】
【請求項１】
チップ状表示器をパネル面に備えた電子機器の表示装置において、上記表示器を裏面に固着し、該表示器の配線パターン処理を裏面に施したフレキシブルシートと、上記表示器に対応した部分をくり抜き形成した透孔を有するスペーサと、該スペーサを介して該シートを保持するベース体と、からなり、上記ベース体と上記スペーサと上記シートは、上記シートが最外層となって上記シートの表面が上記パネル面となるように、外側に向かって、上記ベース体、上記スペーサ、上記シートの順に積層され、上記シートのうち、上記表示器対応部分が透明もしくは半透明に、配線パターン部分が不透明に形成されたことを特徴とする電子機器の表示装置。
【請求項２】
チップ状表示器をパネル面に備えた電子機器の表示装置において、上記表示器を裏面に固着し、該表示器の配線パターン処理を裏面に施したフレキシブルシートと、上記表示器に対応した部分をくり抜き形成した透孔を有するスペーサと、該スペーサを介して該シートを保持するベース体と、からなり、上記ベース体と上記スペーサと上記シートは、上記シートが最外層となって上記シートの表面が上記パネル面となるように、外側に向かって、上記ベース体、上記スペーサ、上記シートの順に積層され、上記シートの表面は、上記表示器対応部分とそれ以外の部分とで面一に形成されたことを特徴とする電子機器の表示装置。
【請求項３】
チップ状表示器をパネル面に備えた電子機器の表示装置において、ケース体の外面側に固着されたベース体と、上記表示器を裏面に固着し、該表示器の配線パターン処理を裏面に施したフレキシブルシートと、上記ベース体と上記シートとの間に設けられ、上記表示器に対応した部分をくり抜き形成した透孔を有するスペーサと、からなり、上記ケース体と上記ベース体と上記スペーサと上記シートとは、上記シートが最外層となって上記シートの表面が上記パネル面となるように、外側に向かって、上記ケース体、上記ベース体、上記スペーサ、上記シートの順に積層され、上記シートの表面は、上記表示器対応部分とそれ以外の部分とで連続面状に形成されたことを特徴とする電子機器の表示装置。
【請求項４】
チップ状表示器とメンブレン状操作子とをパネル面に備えた電子機器の表示装置において、上記表示器と上記操作子の接点パターンとを裏面に配設し、該表示器の配線パターンと上記操作子の接点パターン及びその配線パターンとのパターン形成処理を裏面に施したメンブレンシートと、上記表示器に対応した部分と上記接点パターンとをくり抜き形成した透孔を有するスペーサと、該スペーサを介して該シートを保持するベース体と、からなり、上記ベース体と上記スペーサと上記シートは、上記シートが最外層となって上記シートの表面が上記パネル面となるように、外側に向かって、上記ベース体、上記スペーサ、上記シートの順に積層されたことを特徴とする電子機器の表示装置。
【請求項５】
上記ベース体は、上記メンブレンシートとは別体であり、該ベース体には、上記操作子の上記接点パターンに対応する固定接点が設けられたことを特徴とする請求項４記載の電子機器の表示装置。
【請求項６】
上記フレキシブルシートは、上記パネル面でもある上記フレキシブルシートの表面にメンブレン状操作子を備えたメンブレンシートであることを特徴とする請求項１〜３のいずれか１項に電子機器の表示装置。
【発明の詳細な説明】
【０００１】
【発明の属する技術分野】
本発明は、電子機器の操作パネルに配設する表示器及び／又は該表示器付きメンブレン状操作子構造に関する。
【０００２】
【従来の技術】
メンブレンシートに覆われた電子機器の操作パネルの構造として、例えば、技術雑誌；ＮＩＫＫＥＩ  ＭＥＣＨＡＮＩＣＡＬ（１９８１．５．１１発行）Ｐ１１０，Ｐ１１１に示されているように、従来では、該シートに対向配置した該シートを保持するベース面（プリント基板面）に配線処理が行われている。そして、シート面の適所に所定間隔を置いて、表示器やメンブレンスイッチ等が配設されている。表示器の構造としては、透明シートの下方に発光ダイオード（ＬＥＤと言う）等の発光体が上記基板に半田付けされて、該シートの上面方向に向かって発光させる構成であり、スイッチの構成としては、上記基板にスイッチパターン（固定接点）が施され、メンブレンシートの裏面にそのパターンをオーバーブリッジするように配置されている。
【０００３】
【発明が解決しようとする課題】
上記従来技術においては、パターン面がシートの下方（内側）の基板面にあるため、保守点検時にシート及び基板を取り除く必要がある。このため、保守点検に時間がかかり面倒である。また、最近では、電子機器のシリーズものでは、筐体、基板等の共通化構造が行われているが、パネル面を異なる機種で少し異ならせる場合であっても、少なくとも、この場合、シートと基板をセットにして別物を装着しなければならない。
また、パターン面がシートの下方（内側）の基板面にあるため、ＬＥＤを基板に装着するが、その対向面（シート側）は、どうしても、出っ張ってしまう。
このため、シートの表示器部分とそれ以外部分とを連続面や面一にし難い。このため、表示器部分のみ特別な構造上の処理（例えば別部材構成）を施さなければならなかった。
さらにまた、表示器付きメンブレン操作子構造にあっては、表示器及びスイッチ等全ての配線パターンがメンブレンシートに対向した基板側に形成されているので、保守点検の困難性や多機種共通ケース体利用の観点から構造上好ましくなかった。
【０００４】
以上の背景から、電子機器の表示装置において、保守点検容易化、多機種共通利用部品の多様化、構成簡単化等の組立／分解容易性が望まれていた。
そこで、本発明では、組立／分解容易な電子機器の表示装置の提供を目的としている。
【０００５】
【課題を解決するための手段】
上記した対応する目的を達成するために、本発明請求項１記載の電子機器の表示装置は、チップ状表示器をパネル面に備えた電子機器の表示装置において、上記表示器を裏面に固着し、該表示器の配線パターン処理を裏面に施したフレキシブルシートと、上記表示器に対応した部分をくり抜き形成した透孔を有するスペーサと、該スペーサを介して該シートを保持するベース体と、からなり、上記ベース体と上記スペーサと上記シートは、上記シートが最外層となって上記シートの表面が上記パネル面となるように、外側に向かって、上記ベース体、上記スペーサ、上記シートの順に積層され、上記シートのうち、上記表示器対応部分が透明もしくは半透明に、配線パターン部分が不透明に形成されたことを特徴とする。
【０００６】
本発明請求項１記載の装置によれば、パターン面がシートの裏面にあるため、保守点検時にシート、スペーサを取り除けば、シートの点検とベース体の点検とが同時にできる。シートが不良であれば、それを交換すればよいし、シートとベース体の配置ずれがあればそれを補正すればよい。異機種間で表示器の数が異なっているのであれば、シート及びスペーサのみを別部材にすればよい。つまり、ベース体は、異機種間共通でよい。
【０００７】
上記した対応する目的を達成するために、本発明請求項２記載の電子機器の表示装置は、チップ状表示器をパネル面に備えた電子機器の表示装置において、上記表示器を裏面に固着し、該表示器の配線パターン処理を裏面に施したフレキシブルシートと、上記表示器に対応した部分をくり抜き形成した透孔を有するスペーサと、該スペーサを介して該シートを保持するベース体と、からなり、上記ベース体と上記スペーサと上記シートは、上記シートが最外層となって上記シートの表面が上記パネル面となるように、外側に向かって、上記ベース体、上記スペーサ、上記シートの順に積層され、上記シートの表面は、上記表示器対応部分とそれ以外の部分とで面一に形成されたことを特徴とする。
【０００８】
本発明請求項２記載の装置によれば、パターン面がシート裏面にあり、且つその裏面にベース側に向かって表示器が直付けされているので、シート表面を全て面一にすることができる。シート表面面一とは、パネル面が曲面で形成されているとしても、その曲面に沿って配設する場合も含む。つまり、パネル表面に出っ張りをなくすことができる。
【０００９】
上記した対応する目的を達成するために、本発明請求項３記載の電子機器の表示装置は、チップ状表示器をパネル面に備えた電子機器の表示装置において、ケース体の外面側に固着されたベース体と、上記表示器を裏面に固着し、該表示器の配線パターン処理を裏面に施したフレキシブルシートと、上記ベース体と上記シートとの間に設けられ、上記表示器に対応した部分をくり抜き形成した透孔を有するスペーサと、からなり、上記ケース体と上記ベース体と上記スペーサと上記シートとは、上記シートが最外層となって上記シートの表面が上記パネル面となるように、外側に向かって、上記ケース体、上記ベース体、上記スペーサ、上記シートの順に積層され、上記シートの表面は、上記表示器対応部分とそれ以外の部分とで連続面状に形成されたことを特徴とする。
【００１０】
本発明請求項３記載の装置によれば、パターン面がシート裏面にあり、且つその裏面にベース側に向かって表示器が直付けされているので、シート全面を連続面にすることができる。シート表面が連続面であるとは、パネル面が曲面で形成されているとしても、その曲面に沿って配設する場合も含む。連続面にしたことにより、構成簡単かつ組立容易性が期待できる。表示器部分をアクセント付加の意味でわずかな凹面もしくは凸面にすることもできる。つまり、設計自由度が高くなっている。また、埃、水滴などが当該部分に進入しない。
【００１１】
上記した対応する目的を達成するために、本発明請求項４記載の電子機器の表示装置は、チップ状表示器とメンブレン状操作子とをパネル面に備えた電子機器の表示装置において、上記表示器と上記操作子の接点パターンとを裏面に配設し、該表示器の配線パターンと上記操作子の接点パターン及びその配線パターンとのパターン形成処理を裏面に施したメンブレンシートと、上記表示器に対応した部分と上記接点パターンとをくり抜き形成した透孔を有するスペーサと、該スペーサを介して該シートを保持するベース体と、からなり、上記ベース体と上記スペーサと上記シートは、上記シートが最外層となって上記シートの表面が上記パネル面となるように、外側に向かって、上記ベース体、上記スペーサ、上記シートの順に積層されたことを特徴とする。
【００１２】
本発明請求項４記載の装置によれば、表示器及びスイッチ等全ての配線パターンがメンブレンシート裏面に形成されているので、請求項１で述べたと同様に、保守点検時にシート、スペーサを取り除けば、シートの点検とベース体の点検とが同時にできる。異機種間で表示器の数が異なっているのであれば、シート及びスペーサのみを別部材にすればよい。つまり、ベース体は、異機種間共通でよい。
また、表示器と操作子センサ（スイッチ等）とを一体に形成することができ、上記の総合的な観点から、コストダウンが図れる。
【００１３】
【発明の実施の形態】
以下に、本発明の実施形態の１つ（第１実施例）を図１を用いて詳細に説明する。
図１は、この発明の構成を理解するための展開斜視図であって、電子機器の表示部分（表示パネル）を部分的に示したものである。この実施例では、ケース体（ｄ）の上（表面側）にベース体（基板）（ｃ）が載置され、その上にスペーサ（ｂ）が載置され、その上にメンブレンシート（ａ）が載置されて、電子機器の表示装置を形成している。上記（ａ）〜（ｄ）が積層された状態で、（ａ）〜（ｃ）の厚さは、せいぜい２〜６ｍｍである。上記シートは、０．５ｍｍ程度の樹脂シートであって、いわゆるメンブレンスイッチ等に多用されているポリエステル等の樹脂性フレキシブルシートである。
【００１４】
このシートの裏面にチップ状ＬＥＤからなる表示器１０とこれに隣設してスイッチの可動接点２０が設けられている。この可動接点は、シート裏面上に対向して、接点部２１、２２がパターン印刷されている。この接点部は、カーボンを主とする導電インクを塗布したものである。この接点部２１、２２から配線端子部ａ２の３、４へ配線パターンが施され、さらに接点部２２と表示器の一方端子とが配線パターンにて結合されている。さらに表示器の他方端子は、配線端子部ａ２の５へ配線パターンにて結合されている。また、配線パターンのみがその端子を１、２とするものとして示されている。その理由は後述する。
【００１５】
シート（ａ）は、図２に示すようにＬＥＤ中心部１１のみ透明樹脂のままとし、それ以外の部位は、不透明塗料１２を裏面に施している。または、不透明部分の一部に透明窓（透孔でなく塗料を塗らないだけ）を開け、その対向下面に当たるスペーサ（ｂ）の当該部分には、この表示器又は操作子に対応した名称を印刷しておくようにしてもよい。上記スペーサには、表示器１０に対応した部分に逃げ孔用透孔３０が設けられ、スイッチ（可動接点２０）に対応した部分に接点離間用透孔３２が設けられている。上記スペーサの下方のベース体（ｃ）には、スイッチ対応部分に固定接点２４が設けられ、この固定接点２４に、操作子操作時にシート（ａ）の可動接点を押し付けることで、両可動接点２１、２２間を短絡させるようにしており、さらに表示器１０に対応した部分に表示器配設用逃げ孔４０が設けられている。この逃げ孔４０は、スペーサ（ｂ）に厚味があれば不要にすることができる。また、スペーサ、ベース体ともに厚味がなく、ＬＥＤの厚みが大きければ、さらに図示したように、ケース体の表面側に表示器配設用逃げ孔５０を設けておくようにすればよい。
【００１６】
ここで、多機種共通部品利用の観点から、この発明の表示装置を搭載した操作パネルについて、図３を参照しながら述べる。
図３は、操作パネルとメイン回路との接続関係を表わした回路図であって、異機種間で少しその接続又は構成が異なることを示している。機種Ａにおいては、記号Ａのみに着目してＢを無視した接続図として見るものとする。機種Ａでは、端子４へ機種Ａ（のメイン回路）から電源Ｖが供給され、端子５がメイン回路に接続され、例えば、ＬＥＤＬ１が電源ランプとして利用される。スイッチ２０とＬ１との間（端子２、３間）は、図１（ａ）の端子部ａ２に対応した図示しない雌コネクタ側でジャンパ線のような接続になっている。端子１と端子２で示すラインは、図１（ａ）上部の２線に対応し、そのさらに左側に図示されないＬＥＤＬ２（図３では図示）が接続される。つまり、図３における一点鎖線で囲まれた部分が図１（ａ）に示されている。上記端子１は、機種Ａではメイン回路に接続されるので、ＬＥＤＬ２は、スイッチ２０の投入時に、機種Ａからの電源ラインＶ、スイッチ２０、Ｌ２、メイン回路のルートにて、点灯するようになっている。
【００１７】
機種Ｂでは、記号Ｂのみに着目して見るものとし、そのように見た場合、端子４へ、機種Ｂ（のメイン回路）から電源Ｖが供給され、端子５、２、３は、メイン回路に接続される。そして、端子１と４とは雌コネクタ側でジャンパ線のようなもので接続される。つまり、機種Ｂにおいては、ＬＥＤＬ１が例えば電源ランプとして利用され、Ｌ２は、スイッチオンされるとメイン回路内の自己保持回路を働かせて、自己保持され、オフしても点灯される。もう一回オンすると、該自己保持回路をリセットして消灯する。つまり、プッシュオンプッシュオフ対応でＬ２が点灯／消灯される。このように、機種ＡとＢとでは、その機能を異にしている。
【００１８】
上記構成では、メカニカル構造をあまり変更せずして、その機能を変更したが、構造的変更によってもケース体が共通使用されるようになっている。例えば、スイッチ２０の可動接点及びその配線パターンを削除するだけで、つまり、シートをこのようなシートに変更するだけで、ケース体はそのまま使用しつつ、スイッチの無いパネルにも変更可能となる。
【００１９】
なお、図１の実施例で、製品をイメージすると、シート上方からシートの周囲をシート押え部材（押え枠：図示せず）で固定するか、図４（ａは展開斜視図、ｂはａのｂーｂ断面矢視図）で示すような構成が考えられる。図４は他の実施例であり、図４では、ケース体ｄ２の表示器取付け凹部５２における端子部の無い三辺に周囲側に凹んだ溝５３を設け、端子部対応辺５４側から挿入溝５８、５８を介して、シートとスペーサとベース体とからなる表示器集合体１００を溝５３に沿って、スライド挿入し、スライド終了直前に端子部ａ２をケース体に設けた端子部挿入用透孔５６に貫通させ、ケース体内部に内蔵されているメイン回路基板（図示せず）にコネクタを介してあるいは直接接続する構成にしている。
【００２０】
このようなケース体が存在するものでは、シート、スペーサ、ベース体の全てが、薄厚のポリエステル等のフレキシブルシートの方が望ましいが、ケース体が、存在しない簡単小型の電子機器（例えば電子温度計）等は、ベース体が、ケース体の代わりをする。この場合、ベース体は、１ｍｍ以上の厚みのある樹脂板部とし、そのＬＥＤ対応部の凹部４０は不透孔にする。また、ベース体がケース体の代わりをするもので、メイン回路が存在しないものは、端子部ａ２は不要となる。
【００２１】
【発明の効果】
この発明によれば、組立／分解容易な電子機器の表示装置を実現することができる。
【図面の簡単な説明】
【図１】本発明の表示装置の展開斜視図である。
【図２】本発明の表示部拡大平面図（表面図）である。
【図３】本発明の表示装置を有する操作パネル回路とメイン回路との接続関係を表わした回路図である。
【図４】本発明の表示装置を表わした他の実施例である。
【符号の説明】
１０……チップ状表示器、
ａ……メンブレンシート、
ｂ……スペーサ、
３０……透孔、
ｃ……ベース体、
１１……表示器対応部分（シートのＬＥＤ中心部）、
１２……配線パターン部分（シートの不透明塗料部分）、
２０……メンブレン操作子（スイッチ）、
２１……接点パターン（接点部）、２２……接点パターン（接点部）
【図１】
0004000690.tif 000002
【図２】
0004000690.tif 000003
【図３】
0004000690.tif 000004
【図４】
0004000690.tif 000005